(57)【要約】【課題】特殊な部材を用いることなく、移動時の電源コードの垂れ下がりを防ぎ、設置時に前記電源コードが本体の下敷きになることがなく、また、前記電源コードを必要以上に引っ張ることがなく、安全且つ容易に持ち運ぶことができるテレビジョン受像機を提供することができる。【解決手段】内部に液晶ディスプレイ１が配置された筐体２と、筐体２の外部に露出した電源コード３とを備え、筐体２の背面２２に配置され上下に摺動可能な把手部４と、把手部４の下部に備えられ電源コード３を保持する保持部４４とを有しており、電源コード３の一部が保持部４４にて保持された状態で把手部４が上方に摺動されることで電源コード３が上方に引き上げられるテレビジョン受像機Ａ。【選択図】図２
2007300199.tif 000002
【特許請求の範囲】
【請求項１】
内部に液晶ディスプレイが配置された筐体と、
前記筐体の内部に挿通され先端にプラグを備えた電源コードとを有するテレビジョン受像機であって、
前記筐体の背面には、前記筐体外面に一体突設され前記電源コードと係合する第１リブと、前記筐体外面に一体突設され前記電源コードの先端と係合する第２リブと、前記テレビジョン受像機を運搬するときの位置である上限位置と、設置場所に設置したときの位置である下限位置との間を往復摺動する把手部と、前記筐体と一体に形成され前記把手部を摺動可能に支持する把手支持部とを有しており、
前記第１リブは前記把手支持部の下方に左右対称になるように配置されるとともに先端部が下方に向けて屈曲する形状を有しており、
前記第２リブは前記電源コードが筐体内部に挿通されている部分と反対側に配置されるとともに先端部が上方に向けて屈曲する形状を有しており、
前記把手部は上端部に形成され前記把手支持部の外部に配置される直方体形状の把持部と、下端部に形成され前記把手支持部の内部に配置される直方体形状のストッパ部と、左右に並んで配置され前記把持部及び前記ストッパ部と一体に連結される２個の連結部と、前記ストッパ部の下面に前記電源コードと係合する鉤状の係合部とを有しており、
前記把手支持部は前記各連結部がそれぞれ別個に挿通される２個の開口部と、前記２個の開口部の間に形成され前記把手部が前記上限位置にあるとき前記ストッパ部の上面と当接する上部当接部と、前記把手部が前記下限位置にあるとき前記ストッパ部の下面と当接する下部当接部と、前記把手部が下限位置にあるとき前記係合部が突出する下部開口部と、内部に前記把手部の摺動方向に渡って延設され前記連結部を摺動可能に支持するレールとを有し、
前記筐体内部の空間と前記把手支持部の前記把手支持部内部の前記把手部が摺動する空間及び前記コード収納部とが隔離されており、
前記電源コードを前記係合部に係合させた状態で前記把手部を上限位置に摺動させることで前記電源コードの少なくとも一部が前記把手支持部の内部に収納されることを特徴とするテレビジョン受像機。
【請求項２】
内部にパネル型ディスプレイが配置された筐体と、
前記筐体の外部に露出した電源コードを備えたテレビジョン受像機であって、
前記筐体の背面に配置され上下に摺動可能な把手部と、
前記把手部の下部に備えられ前記電源コードを保持する保持部とを有しており、
前記電源コードの一部が前記保持部にて保持された状態で前記把手部が上方に摺動されることで該電源コードが上方に引き上げられることを特徴とするテレビジョン受像機。
【請求項３】
前記保持部は鉤状に形成されており、前記把手部の下面に備えられていることを特徴とする請求項２に記載のテレビジョン受像機。
【請求項４】
前記把手部の下端部が内部を摺動する把手支持部が備えられており、
前記把手支持部は前記把手部が挿通される上部開口部と、前記把手部が最も下部に位置しているときに前記保持部が外部に突出する下部開口部とを備えており、
前記電源コードは前記把手部が上方へ摺動されることで、少なくとも一部が前記下部開口部より前記把手支持部内部に収納されることを特徴とする請求項２又は請求項３に記載のテレビジョン受像機。
【請求項５】
前記筐体と前記把手支持部とが一体に形成されていることを特徴とする請求項４に記載のテレビジョン受像部。
【請求項６】
前記把手支持部内部の空間が前記筐体内部の空間と隔離されていることを特徴とする請求項４又は請求項５に記載のテレビジョン受像機。
【請求項７】
前記筐体部の背面下部に形成され前記電源コードと係合する第１リブを備えたことを特徴とする請求項２から請求項６のいずれかに記載のテレビジョン受像機。
【請求項８】
前記筐体部の背面に形成され前記電源コードの先端部と係合する第２リブを備えたことを特徴とする請求項２から請求項７のいずれかに記載のテレビジョン受像機。
【発明の詳細な説明】
【技術分野】
【０００１】
本発明は、持ち運び用の把手部を備えた持ち運び可能なテレビジョン受像機に関し、特に持ち運びをおこなうときに、電源ケーブルを収納することができるテレビジョン受像機に関するものである。
【背景技術】
【０００２】
近年、液晶パネル（ＬＣＤ）、プラズマディスプレイパネル（ＰＤＰ）を利用した薄型のテレビジョン受像機が普及している。前記薄型のテレビジョン受像機のうち小型のものは、背面に運搬用の把手部を備えているものがある。ユーザは前記把手部を利用して前記小型のテレビジョン受像機を運搬することが可能であり、前記テレビジョン受像機を好みの場所に移動させて、映像を楽しむことが可能である。
【０００３】
前記テレビジョン受像機には、電力を供給するための電源コードが備えられており、運搬するときに電源コードが邪魔になることが多い。そこで、テレビジョン受像機の背面に電源コードを巻きつけるために、２個の突起が一定間隔をあけて設けられており、プラグをコンセントから抜いた前記電源ケーブルを前記２個の突起に巻回して垂れ下がらないように保持するものがある。前記テレビジョン受像機を運搬のたびに前記電源コードを突起に巻回すのは面倒である。
【０００４】
そこで、実開平５−５３２７８号公報には、一端が基板にはんだ付け固定され他端が筐体がに引き出されたコードを、スライド自在に設けられ前記コードを前記筐体内に牽引するフックを有するコード収納部材を備え、前記コード収納部材の前記フックをスライドすることで前記ケーブルを前記筐体内に収納するものが示されている。このようにコード収納部材を備えているものの場合、前記フックを摺動させることで簡単にコードを収納することが可能である。
【０００５】
また、特開平１０−３３３７８１号公報には、ケーブル（モデムケーブル）が回転可能な滑車を介して取り付けられており、前記滑車がレールにガイドさればねに引っ張られることで、ケーブルが筐体内部に自動的に引き込まれるように形成され、前記ケーブルが不用意に引き込まれるのを防止するために前記滑車を固定するストッパ及び該ストッパによる前記滑車の固定を解除するためのスイッチを備えているノート型パソコンが示されている。これによると、前記ケーブルは前記スイッチを操作することでばねの力で自動的に内部に収納されるので、簡単にケーブルを収納することが可能である。
【０００６】
さらに、特開昭５８−１０００７０号公報に記載されているような電源コードをリールにとりつけ、該リールを回転させることで、前記電源コードを前記リールで巻き取り筐体内部に収納するものを取り付けたものが考えられる。このように前記電源コードを前記リールで巻き取ることで電源コードを引きずることはない。
【０００７】
【特許文献１】実開平５−５３２７８号公報
【特許文献２】特開平１０−３３３７８１号公報
【特許文献３】特開昭５８−１０００７０号公報
【発明の開示】
【発明が解決しようとする課題】
【０００８】
しかしながら、実開平５−５３２７８号公報に記載の発明では、前記フックをスライドさせてコードを収納するのは前記リールを巻いてコードを巻き取るよりも簡単であるが、前記小型のテレビジョン受像機を移動させるごとに、コードを収納するのは面倒である。
【０００９】
また、特開平１０−３３３７８１号公報に記載の発明では、自動的にケーブルを収納することができるものが示されているが、自動的にケーブルを収納するためには、ばねのような弾性部材と、弾性部材の復元力に抗して滑車を止めておくためのストッパ及び前記ストッパを外すためのスイッチ等が必要になり、構成が複雑になる。
【００１０】
さらに特開昭５８−１００７０号公報に記載の発明では、前記電源コードを巻き取るために前記リールを回転させなくてはならず、前記小型のテレビジョン受像機を移動させるたびに前記リールを巻くのは面倒である。また、前記リールを設置するためのスペースが必要であるとともに、前記リールが回転しても前記テレビジョン受像機の内部に配置された基板に電力を供給できなくてはならず、その構造が複雑になる。
【００１１】
そこで本発明は、特殊な部材を用いることなく、移動時の電源コードの垂れ下がりを防ぎ、設置時に前記電源コードが本体の下敷きになることがなく、安全且つ容易に持ち運ぶことができるテレビジョン受像機を提供することを目的とする。
【００１２】
また本発明は、持ち運びを行うときに、別途動力を用いることなく、電源コードを収納することができるとともに、前記電源コードを必要以上に引っ張ることがなく、持ち運び時の手間を省くことができるテレビジョン受像機を提供することを目的とする。
【課題を解決するための手段】
【００１３】
上記目的を達成するために本発明は、内部にパネル型ディスプレイが配置された筐体と、前記筐体の外部に露出した電源コードを備えたテレビジョン受像機であって、前記筐体の背面に配置され上下に摺動可能な把手部と、前記把手部の下部に備えられ前記電源コードを保持する保持部とを有しており、前記電源コードの一部が前記保持部にて保持された状態で前記把手部が上方に摺動されることで該電源コードが上方に引き上げられることを特徴とする。
【００１４】
この構成によると、前記把手部を上方に摺動させることで、該把手部の摺動にあわせて前記電源コードの一部も引き上げられる。これにより、パネル型ディスプレイを備えたテレビジョン受像機を移動させるときに、予め電源コードを巻き取ったり、束ねたり等の手間をかけることなく、前記電源コードが邪魔にならないようすることができ、移動や運搬のときの手間が大幅に低減される。
【００１５】
上記構成において前記保持部は鉤状に形成されており、前記把手部の下面に備えられていてもよい。
【００１６】
この構成によると、前記テレビジョン受像機と壁面或いは床面に配置されたコンセントまでの距離が長い場合、電源コード前記保持部から取り外して使うことができる。これにより、前記テレビジョン受像機の設置場所の自由度があがる。
【００１７】
上記構成において前記把手部の下端部が内部を摺動する把手支持部が備えられており、前記把手支持部は前記把手部が挿通される上部開口部と、前記把手部が最も下部に位置しているときに前記保持部が外部に突出する下部開口部とを備えており、前記電源コードは前記把手部が上方へ摺動されることで、少なくとも一部が前記下部開口部より前記把手支持部内部に収納されるものであってもよい。
【００１８】
この構成によると前記電源コードの少なくとも一部が前記把手支持部に収納されることで、移動や運搬時に電源コードを引っ掛けてしまい、無理な力が前記電源コード、筐体その他の部分に付与し、故障や破損の原因になるのを抑制することが可能である。
【００１９】
また、前記上部開口部には常に前記把手部の一部が挿通されており、該上部開口部と前記把手部との間隙が狭く形成されており、外部の異物が挿入しにくい。これにより、該異物が挿入し、端子を短絡させたり、摺動部に噛み合って摺動の邪魔をしたりする等の不具合の発生を抑制することができる。
【００２０】
上記構成において前記筐体と前記把手支持部とが一体に形成されているものであってもよい。
【００２１】
この構成によると前記筐体と前記把手支持部とを別途製造する手間を省くことができ、それだけ、製造コストを低減することが可能である。
【００２２】
上記構成において前記把手支持部内部の空間が前記筐体内部の空間と隔離されているものであってもよい。
【００２３】
この構成によると、前記把手支持部内部に収納される前記電源コードに埃、塵等の異物及び（又は）水分が付着していた場合であっても、これら異物や水分がパネル型ディスプレイ等の電子機器が配置されている筐体内部に侵入するのを防ぐことができる。それだけ、テレビジョン受像機の不具合の発生を予防することができる。
【００２４】
上記構成において前記筐体部の背面下部に形成され前記電源コードと係合する第１リブを備えたものであってもよい。
【００２５】
この構成によると、前記電源コードが前記把手部の摺動に伴って引き上げられるときに、前記把手支持部の前記下部開口部の端部でこすれることがない。これによると、前記電源コードの破損を抑制することができる。
【００２６】
第１リブとして、先端部が下方に屈曲したもの、先端に断面が大きな平板状の部材を備えるもの等電源コードを押えることができるとともに、該電源コードとの係合が外れないように形成されているものを広く採用することが可能である。
【００２７】
上記構成において前記筐体部の背面に形成され前記電源コードの先端部と係合する第２リブを備えたものであってもよい。
【００２８】
本発明の特徴をより詳しく説明すると以下のとおりである。内部に液晶ディスプレイが配置された筐体と、前記筐体の内部に挿通され先端にプラグを備えた電源コードとを有するテレビジョン受像機であって、前記筐体の背面には、前記筐体外面に一体突設され前記電源コードと係合する第１リブと、前記筐体外面に一体突設され前記電源コードの先端と係合する第２リブと、前記テレビジョン受像機を運搬するときの位置である上限位置と、設置場所に設置したときの位置である下限位置との間を往復摺動する把手部と、前記筐体と一体に形成され前記把手部を摺動可能に支持する把手支持部とを有しており、前記第１リブは前記把手支持部の下方に左右対称になるように配置されるとともに先端部が下方に向けて屈曲する形状を有しており、前記第２リブは前記電源コードが筐体内部に挿通されている部分と反対側に配置されるとともに先端部が上方に向けて屈曲する形状を有しており、前記把手部は上端部に形成され前記把手支持部の外部に配置される直方体形状の把持部と、下端部に形成され前記把手支持部の内部に配置される直方体形状のストッパ部と、左右に並んで配置され前記把持部及び前記ストッパ部と一体に連結される２個の連結部と、前記ストッパ部の下面に前記電源コードと係合する鉤状の係合部とを有しており、前記把手支持部は前記各連結部がそれぞれ別個に挿通される２個の開口部と、前記２個の開口部の間に形成され前記把手部が前記上限位置にあるとき前記ストッパ部の上面と当接する上部当接部と、前記把手部が前記下限位置にあるとき前記ストッパ部の下面と当接する下部当接部と、前記把手部が下限位置にあるとき前記係合部が突出する下部開口部と、内部に前記把手部の摺動方向に渡って延設され前記連結部を摺動可能に支持するレールとを有し、前記筐体内部の空間と前記把手支持部の前記把手支持部内部の前記把手部が摺動する空間及び前記コード収納部とが隔離されており、前記電源コードを前記係合部に係合させた状態で前記把手部を上限位置に摺動させることで前記電源コードの少なくとも一部が前記把手支持部の内部に収納される。
【発明の効果】
【００２９】
本発明によると、特殊な部材を用いることなく、移動時の電源コードの垂れ下がりを防ぎ、設置時に前記電源コードが本体の下敷きになることがなく、安全且つ容易に持ち運ぶことができるテレビジョン受像機を提供することができる。
【００３０】
また本発明によると、持ち運びを行うときに、別途動力を用いることなく、電源コードを収納することができるとともに、前記電源コードを必要以上に引っ張ることがなく、持ち運び時の手間を省くことができるテレビジョン受像機を提供する。
【発明を実施するための最良の形態】
【００３１】
以下に本発明の実施形態を図面を参照して説明する。図１に本発明にかかるテレビジョン受像機の正面側斜視図を、図２に図１に示すテレビジョン受像機の背面側斜視図を、図３に図１に示すテレビジョン受像機の把手部が下限位置にあるときの背面図を、図４に図３に示すテレビジョン受像機の把手部が上限位置にあるときの背面図を、図５に図３に示すテレビジョン受像機の側面図を、図６に図４に示すテレビジョン受像機の側面図をそれぞれ示す。液晶ディスプレイ（ＬＣＤ）、プラズマディスプレイパネル（ＰＤＰ）などのパネル型の画像表示装置を備えるテレビジョン受像機に採用可能なものであり、本実施形態では、液晶ディスプレイを備える液晶テレビジョン受像機を例に説明する。
【００３２】
テレビジョン受像機Ａは、液晶ディスプレイ１と、内部に液晶ディスプレイ１を配置する筐体２と、液晶ディスプレイ１等のテレビジョン受像機Ａに含まれる機器に電力を供給するための電源コード３とを有している。電源コード３はここでは筐体２の下面の左端部近傍で筐体２の内部に挿通されている。
【００３３】
図１に示すように筐体２の前面２１には矩形状の矩形孔２３が形成されており、液晶ディスプレイ１はその表示部１１が矩形孔２３を介して外部よりユーザが視認することができるように配置されている。ユーザは矩形孔２３を介して内部に配置された液晶ディスプレイ１の表示部１１に映し出される映像を観賞することができる。
【００３４】
また、筐体２には液晶ディスプレイ１の表示部１１が設置場所に対して所定の角度をなすようにテレビジョン受像機Ａを支持する脚部２４が取り付けられている。脚部２４はテレビジョン受像機Ａの横方向及び奥行方向に伸びる底面部２４１と、底面部２４１と一体的に立設し、筐体２の下面と接続する支持部２４２とを有している。底面部２４１は前面側が、左右にに向かって広がる形状を有している（図１参照）。なお、脚部２４の形状や個数、支持する場所についてはここに示す脚部２４に限定されるものではなく、テレビジョン受像機Ａを安定して支持することができるものを広く採用することができる。
【００３５】
筐体２の背面２２には、テレビジョン受像機Ａを運搬するときの位置である上限位置Ｐ１（図４等参照）と、テレビ台等の設置場所に設置したときの位置である下限位置Ｐ２（図３等参照）との間を往復摺動する把手部４と、筐体２の背面２２と一体に形成され把手部４を摺動可能に支持する把手支持部５と、把手支持部５の下部に筐体２の外面と一体に形成された電源コード３を押えるための押えリブ６と、電源コード３が筐体２の内部に挿通されている部分と反対側（本実施例では右側）に電源コード３の先端部に取り付けられたプラグ３１を係止する係止リブ７とを有している。把手部４及び把手支持部５は把手部４を用いて、テレビジョン受像機Ａを持ち上げたときに、左右方向にバランスが崩れない位置に配置されている。
【００３６】
図２〜図６に示すように把手部４は、上端部４ｕに形成される直方体形状の把持部４１と、下端部４ｄに形成される直方体形状のストッパ部４２と、把持部４１及びストッパ部４２と一体的に連結する連結部４３と、ストッパ部４２の下面に突設された電源コード３を引っ掛けるための鉤状の係合部４４とを有している。
【００３７】
把手支持部５は上部５ｕに左右に並んで形成された矩形状の２個の上部開口部５１と、２個の上部開口部５１の間に形成された上部当接部５２と、下部５ｄに上部開口部５１と対向して形成された下部開口部５３と、下部開口部５３に隣接して形成された下部当接部５４と、電源コード３の一部を収納するコード収納部５５とを有している。
【００３８】
把手支持部５は筐体２の内部の液晶ディスプレイ１が配置される内部空間と一体の内部空間を備えている。また、把手支持部５には把手部４の連結部４３を摺動可能に保持するレール５６が備えられている。レール５６を備えていることで、把手部４に筐体２の前後方向の力が付勢しても、把手部４の摺動方向がぶれない。
【００３９】
把手部４の連結部４３は上部開口部５１に挿通されており、把持部４１は把手支持部５、すなわち、筐体２の外部に、ストッパ部４２は把手支持部５、すなわち、筐体２の内部に配置されている。把手部４は上限位置Ｐ１と下限位置Ｐ２とを往復摺動する。把手部４が上限位置Ｐ１に位置しているときには、ストッパ部４２の上面が上部当接部５２と当接し、把手部４が下限位置Ｐ２に位置しているときには、ストッパ部４２の下面が下部当接部５４と当接するとともにストッパ部４２の下面に突設された係合部４４が下部開口部５３より突出している。
【００４０】
押えリブ６は、下部開口部５３の下方に、下部開口部５３を挟んで対称の位置に左右に１つずつ筐体２と一体に形成されている。押えリブ６は先端が下方（下部開口部５３と反対側の方向）に屈曲する形状を有している。また、係止リブ７は筐体２と一体に形成されている。係止リブ７は押えリブ６よりも上方に形成されており、先端部が上方に屈曲している。
【００４１】
図１、２に示すようにテレビジョン受像機Ａは、脚部２４で支持することで設置場所に設置されている。また、図２、３、５に示すように把手部４は自重を受けて下限位置Ｐ２に位置している。このとき、把手部４のストッパ部４２は把手支持部５の下部当接部５４と当接しており、ストッパ部４２の下面に形成されている係合部４４は下部開口部５３より外部に突出している。
【００４２】
テレビジョン受像機Ａを移動させるときには、電源コード３のプラグ３１を係止リブ７に係止させるとともに、中間部を把手部４のストッパ部４２の下面に形成されている係合部４４に係合させる。このとき、電源コード３の係合部４４と係合している部分の両端は押えリブ６の下方になるように配置する。
【００４３】
この状態で、把持部４１を掴み持ち上げると、把手部４の連結部４３が上部開口部５１を通って外部に移動する。また、ストッパ部４２も把手支持部５（筐体２）の内部で上方に向かって移動する。把手部４が上限位置Ｐ１まで移動すると（図４、図６参照）ストッパ部４２の上面が上部当接部５２と当接し、把手部４の摺動を停止する。把持部４１を更に持ち上げるとストッパ部４２が上部当接部５２を押し、テレビジョン受像機Ａが持ち上がる。
【００４４】
ストッパ部４２の下面に突設された係合部４４と電源コード３とが係合した状態で、把手部４が上部に摺動すると、電源コード３は係合部４４に牽引されて上部開口部５１よりコード収納部５５に収納される。このとき、電源コード３は把手支持部５の外部で押えリブ６と係合しており、電源コード３がコード収納部５５に収納されるときに上部開口部５１の端部でこすれることによる不具合を抑制することができる。
【００４５】
また、係止リブ７にも電源コード３が係合されており、電源コード３がコード収納部５５に収納されるときに、電源コード３の係止リブ７との係合部より先端の部分が引き上げられる（図４参照）。また、押えリブ６の先端部は下方に屈曲しているとともに、係止リブ７の先端部が上方に屈曲しているので、電源コード３が係合部４４に牽引されるときに電源コード３に張力が働いても押えリブ６或いは係止リブ７から外れるのを抑制することができる。
【００４６】
このように把手部４を上限位置Ｐ１まで移動させ、コード収納部５５に電源コード３の一部を収納した状態でテレビジョン受像機Ａを移動させるので、押えリブ６と係止リブ７との間の電源コード３の弛みや、係止リブ７の係止部よりも先端が垂れることで電源コード３が床、階段等とこすれたり、床や壁等に形成される突出部に電源コード３が引っかかったりするのを防ぐことが可能である。
【００４７】
これにより、把手部４を持ち上げるだけで電源コード３を所定の位置（ここでは、コード収納部５５）に収納することができ、電源コード３を収納する、巻き取る、束ねる等の作業に比べて容易にテレビジョン受像機Ａを移動させることが可能である。
【００４８】
また、テレビジョン受像機Ａを設置場所に置く場合にも、電源コード３が垂れ下がっていないので、電源コード３が脚部２４の下敷きになるのを抑制し、電源コード３が変形したり、内部で断線したりする不具合が発生するのを抑制することが可能である。
【００４９】
また、把手部４は上限位置Ｐ１及び下限位置Ｐ２のいずれの位置にあるときでも、把手支持部５に形成された上部開口部５１には把手部４の連結部４３が挿通されており、上部開口部５１と連結部４３との間隙は微小であり、異物が筐体２の内部に混入するのを抑制することができる。
【００５０】
上記実施例において把手部４の把持部４１は、把手部４が下限位置Ｐ２にあるときであっても、把手支持部５と接触しないので、把持部４１と把手支持部５との間の空間に手を挿入し、把手部４を持ち上げるようにしているものである。この場合、把持部４１の下面に把持用の凹凸を付けておいてもよい。また、把持部４１の中央にテレビジョン受像機Ａの正面側から背面側に貫通する取手部が形成されていてもよい。
【００５１】
また、電源コード３が下部開口部５３の端部とこすれることによる不具合が発生しない（発生しにくい）場合は、押えリブ６のいずれか一方或いは両方を備えていなくてもよい。また、電源コード３の長さが短い場合は、係止リブ７を省略してもよい。このように、押えリブ６及び（又は）係止リブ７を省略することで筐体２の形状が簡単になり、製造コストを抑えることが可能である。
【００５２】
また、上記実施例では、押えリブ６及び係止リブ７は筐体２の外面と一体に形成されているものを示しているが、それに限定されるものではなく、はめ込みによって取り付けられるもの、ボルト等の係止具を用いて取り付けられるもの等のように着脱可能に取り付けるものであってもよい。押えリブ６及び係止リブ７として電源コード３からの力を支えることができるものを広く採用することができる。
【００５３】
図７に本発明にかかるテレビジョン受像機の他の例の側断面図である。図７に示すテレビジョン受像機Ｂでは、筐体２ｂの液晶ディスプレイ１、基板Ｂｄ等の機器が配置される内部空間２５ｂと、把手支持部５ｂのストッパ部４２が摺動する空間及びコード収納部５５ｂとは別の空間になっている。また、レール５６を備えていない。それ以外の部分に関しては、図１等に示すテレビジョン受像機Ａと同じ構成を有しており、実質上同じ部分には同じ符号が付してある。
【００５４】
図７に示すように筐体２ｂの液晶ディスプレイ１、基板Ｂｄ等を配置する内部空間２５ｂと、把手支持部５ｂとは壁体８にて隔てられている。これにより、把手部４の把持部４１にテレビジョン受像機Ｂの後ろ側に向けて力が付勢しても、ストッパ部４２は壁体８と当接するので、液晶ディスプレイ１や基板Ｂｄと接触するのを防ぐことができる。また、把手支持部５ｂの上部開口部５１ｂ或いは下部開口部５３ｂを介して筐体２ｂの内部空間２５ｂに異物が挿入することによる不具合（例えば、基板のショートや部材の破損等）の発生を防ぐことが可能である。
【００５５】
さらに、電源コード３が収納されるコード収納部５５ｂが液晶ディスプレイ１、基板Ｂｄ等が配置される内部空間２５ｂと壁体８で隔てられているので、電源コード３に付着した塵、埃、水分等の異物が筐体２ｂの内部空間２５ｂに進入するのを防ぐことが可能である。
【００５６】
図８に本発明にかかるテレビジョン受像機の他の例の背面図を示す。図８に示すテレビジョン受像機Ｃは把手部４ｃ及び把手支持部５ｃの形状が異なっている。それ以外の部分については図２等に示すテレビジョン受像機Ａと同じ構成を有しており、実質上同じ部分には同じ符号が付してある。
【００５７】
図８に示すテレビジョン受像機Ｃに備えられる把手部４ｃは、上部に形成される把持部４１ｃと、下部に形成されるストッパ部４２ｃと、把持部４１ｃ及びストッパ部４２ｃを一体に連結する連結部４３ｃと、ストッパ部４２ｃの下面に一体に形成される鉤状の係合部４４ｃとを有している。図８に示すように、把手部４ｃの連結部４３ｃは１本の柱状部材である。また、把持部４１ｃにはユーザの手を入れるための貫通孔である取手部４１１ｃが形成されている。
【００５８】
把手部４ｃをこのように形成することで、把手支持部５ｃに形成される上部開口部５１ｃを１個にすることができ、開口を設けることで発生する筐体２の強度低下を抑制することが可能である。また、上部開口部５１ｃと連結部４３ｃとの間隙も減るので、異物が混入しにくい。
【００５９】
上述した各実施例では１個の把手部を備えたテレビジョン受像機を例に説明しているが、それに限定されるものではなく、複数個の把手部を備えているものであってもよい。このばあい、複数個の把手部すべてで電源コードを引き上げるように形成されていてもよく、１個の把手部のみが電源コードを引き上げられるようになっているものであってもよい。
【００６０】
また、上述した各実施例では電源コード３を収納するテレビジョン受像機を例に説明しているが、それに限定されるものではなく、収納されるコードとして筐体の外部に露出しているものを広く採用することができる。また、把手部の一部が把手支持部内部に収納されており、把手部を引くことで、電源コード３が把手支持部の内部に収納されるものが示されているが、把手部が筐体の外部に露出しているものであってもよい。この場合、把手部にて電源コード３が引き上げられたときに、垂れ下がって壁面や床面等とこすれないように引き上げられていることが好ましい。
【００６１】
以上、発明の実施形態を具体的に説明したが、本発明は上記実施形態に限定するものではなく、その要旨を逸脱しない範囲で種々変更可能である。
【産業上の利用可能性】
【００６２】
本発明は、液晶ディスプレイ、プラズマディスプレイ等のパネル型ディスプレイを備えたテレビジョン受像機において適用することができる。
【図面の簡単な説明】
【００６３】
【図１】本発明にかかるテレビジョン受像機の正面側斜視図である。
【図２】図１に示すテレビジョン受像機の背面側斜視図である。
【図３】図１に示すテレビジョン受像機の把手部が下限位置にあるときの背面図である。
【図４】図３に示すテレビジョン受像機の把手部が上限位置にあるときの背面図である。
【図５】図３に示すテレビジョン受像機の側面図である。
【図６】図４に示すテレビジョン受像機の側面図である。
【図７】本発明にかかるテレビジョン受像機の他の例の側断面図である。
【図８】本発明にかかるテレビジョン受像機の他の例の背面図である。
【符号の説明】
【００６４】
Ａ、Ｂ、Ｃ  テレビジョン受像機
１  液晶ディスプレイ
１１  表示部
２  筐体
２１  前面
２２  背面
２３  矩形孔
２４  脚部
３  電源コード
３１  プラグ
４  把手部
４１  把持部
４２  ストッパ部
４３  連結部
４４  結合部
５  把手支持部
５１  上部開口部
５２  上部当接部
５３  下部開口部
５４  下部当接部
５５  コード収納部
５６  レール
６  押えリブ
７  係止リブ
８  壁体
【図１】
2007300199.tif 000003
【図２】
2007300199.tif 000004
【図３】
2007300199.tif 000005
【図４】
2007300199.tif 000006
【図５】
2007300199.tif 000007
【図６】
2007300199.tif 000008
【図７】
2007300199.tif 000009
【図８】
2007300199.tif 000010